(57)【要約】【課題】十分な撓み変形量を確保し且つ十分な剛性を確保することによって着座者の良好な座り心地・凭れ心地を実現すると共に座部や背部としての安全性・耐久性を確保することができるようにする。【解決手段】前後端部分の両方に立体支持部１３ａ，１３ｂを備える立体構造であって撓みを助長させる形状が施されたインナーシェル１３と、当該インナーシェル１３を覆う表皮材（図示していない）とを有し、立体支持部１３ａ，１３ｂを介してインナーシェル１３が座のベース部材１１に立体的に取り付けられ、インナーシェル１３と座のベース部材１１との間にインナーシェル１３が撓むための撓み空間１５が形成されるようにした。【選択図】図５
2013099504.tif 000002
【特許請求の範囲】
【請求項１】
前後端部分の少なくとも一方又は左右端部分の両方に立体支持部を備える立体構造であって撓みを助長させる形状が施されたインナーシェルと、当該インナーシェルを覆う表皮材とを有し、前記立体支持部を介して前記インナーシェルがベース部材に立体的に取り付けられ、前記インナーシェルと前記ベース部材との間に前記インナーシェルが撓むための撓み空間が形成されることを特徴とする椅子の座。
【請求項２】
上下端部分の少なくとも一方又は左右端部分の両方に立体支持部を備える立体構造であって撓みを助長させる形状が施されたインナーシェルと、当該インナーシェルを覆う表皮材とを有し、前記立体支持部を介して前記インナーシェルがベース部材に立体的に取り付けられ、前記インナーシェルと前記ベース部材との間に前記インナーシェルが撓むための撓み空間が形成されることを特徴とする椅子の背。
【請求項３】
前記インナーシェルは樹脂により成形されていることを特徴とする請求項１または２記載の椅子の座または椅子の背。
【請求項４】
前記インナーシェルに複数のスリットが形成されていることを特徴とする請求項１または２記載の椅子の座または椅子の背。
【請求項５】
前記インナーシェルは複数の帯部材が横並びに配置されて構成されていることを特徴とする請求項１または２記載の椅子の座または椅子の背。
【請求項６】
前記撓み空間に撓み調整部材が配置されていることを特徴とする請求項１または２記載の椅子の座または椅子の背。
【請求項７】
前記撓み調整部材が、袋状に形成され、気体若しくは液体を出し入れすることによって体積が変化したり弾性力が変化したりすることを特徴とする請求項６記載の椅子の座又は椅子の背。
【請求項８】
前記インナーシェルに撓み代が形成されていることを特徴とする請求項１または２記載の椅子の座または椅子の背。
【請求項９】
請求項１から８のいずれか一つに記載の椅子の座と椅子の背とのうちの少なくとも一方を備えることを特徴とする椅子。
【発明の詳細な説明】
【技術分野】
【０００１】
本発明は、椅子の座、椅子の背並びに椅子に関する。さらに詳述すると、本発明は、例えば事務用椅子などに適用され得る椅子の座や椅子の背の構造、並びにこの構造を備える座や背を有する椅子に関する。
【背景技術】
【０００２】
従来より、椅子の座面は着座者の座り心地を良好にするように様々な工夫がなされている。従来の椅子の座の構造としては、例えば、図１６に示すように、アウター部材１０３を金属板製のベース体１０４と合成樹脂製の補助支持体１０５とで構成して補助支持体１０５をベース体１０４の張出部１０４ａに嵌め入れて固定し、さらに、合成樹脂製のインナーシェル１０１にスリットを形成すると共に左右両側部の係止爪１０１ａを介して補助支持体１０５に取り付けてインナーシェル１０１を凹み変形させるものがある（特許文献１）。なお、図１６において符号１０７は椅子の脚部上端に取り付けられる座受け体である。
【０００３】
上記特許文献１の椅子の座の構造にもみられるように、座を構成するには、芯材となる板（インナーシェル１０１）を合成樹脂によって成形してクッション材１０２を載せた上で張地で覆う構造とすることが多い。そして、上記特許文献１の椅子の座の構造では、芯材たる合成樹脂部材であるインナーシェル１０１にスリットを設けて撓ませるようにしている。
【先行技術文献】
【特許文献】
【０００４】
【特許文献１】特開２０００−９３２５０号
【発明の概要】
【発明が解決しようとする課題】
【０００５】
しかしながら、特許文献１の椅子の座の構造では、合成樹脂製のインナーシェル１０１にスリットを設けることで撓み易くしているものの、インナーシェル１０１は平面形状をしているので撓み易さには限界がある。そして、撓み易さを十分に確保するために柔らかい樹脂素材でインナーシェル１０１を成形した場合には座部としての剛性が不足してしまうという問題がある。このため、着座者にとって格別の座り心地の良さを確保することと座部としての剛性を確保することとの両立が難しく、特許文献１の椅子の座の構造は汎用性があるとは言い難い。
【０００６】
また、特許文献１の椅子の座の構造のように合成樹脂製のインナーシェル１０１にスリットを設けることで撓み変形をさせる構造の場合にはインナーシェル１０１が着座者の体重に応じて撓み変形することで座面が撓むだけであり、着座者の特性及び好みや使用場面に応じて撓み量を変化させることはできないという問題がある。このため、特許文献１の椅子の座の構造は、着座者の様々な特性及び好みや使用場面に応じて良好な座り心地を確保することができるとは言い難く、適応性・汎用性が高いとは言い難い。
【０００７】
そこで、本発明は、十分な撓み変形量を確保し且つ十分な剛性を確保することによって着座者の良好な座り心地・凭れ心地を実現すると共に座部や背部としての安全性・耐久性を確保することができる椅子の座、椅子の背並びに椅子を提供することを目的とする。また、本発明は、着座者の様々な特性及び好みや使用場面に応じて撓み量を調整することができる椅子の座、椅子の背並びに椅子を提供することを目的とする。
【課題を解決するための手段】
【０００８】
かかる目的を達成するため、請求項１記載の椅子の座は、前後端部分の少なくとも一方又は左右端部分の両方に立体支持部を備える立体構造であって撓みを助長させる形状が施されたインナーシェルと、当該インナーシェルを覆う表皮材とを有し、立体支持部を介してインナーシェルがベース部材に立体的に取り付けられ、インナーシェルとベース部材との間にインナーシェルが撓むための撓み空間が形成されるようにしている。
【０００９】
また、請求項２記載の椅子の背は、上下端部分の少なくとも一方又は左右端部分の両方に立体支持部を備える立体構造であって撓みを助長させる形状が施されたインナーシェルと、当該インナーシェルを覆う表皮材とを有し、立体支持部を介してインナーシェルがベース部材に立体的に取り付けられ、インナーシェルとベース部材との間にインナーシェルが撓むための撓み空間が形成されるようにしている。
【００１０】
したがって、これらの椅子の座や椅子の背によると、立体支持部を備えることによってインナーシェルが立体構造であって撓みを助長させる形状が施されたものであるようにしているので、座部や背部としての剛性を確保しつつ撓み易さが十分に確保される。
【００１１】
また、これらの椅子の座や椅子の背によると、立体支持部を備えることによってインナーシェルが立体構造であるようにしているので、座部や背部の通気性が十分に確保される。
【００１２】
また、これらの椅子の座や椅子の背によると、立体支持部を備えることによってインナーシェルが立体構造であるようにしているので、座部や背部を中実構造とした場合と比べて軽量化が図られる。
【００１３】
また、請求項３記載の発明は、請求項１または２記載の椅子の座または椅子の背において、インナーシェルは樹脂により成形されているようにしている。この場合には、従来の椅子のように座部や背部の主要部分をウレタン成型品とした場合には使用終了後（言い換えると、製品寿命到来後）は一般的には廃棄物になってしまうのに対し、インナーシェルはポリプロピレンなどの樹脂成型品であるので、使用終了後にはリサイクルすることが可能である。
【００１４】
また、請求項４記載の発明は、請求項１または２記載の椅子の座または椅子の背において、インナーシェルに複数のスリットが形成されているようにしている。この場合には、スリットの形成の程度によってインナーシェル全体としての弾性力（硬さ）を調整して撓み量が調整される。また、インナーシェルの場所によってスリットの形成の程度を変えることによって弾性力（硬さ）がインナーシェルの場所によって変化する。さらに、通気性がより一層十分に確保される。
【００１５】
また、請求項５記載の発明は、請求項１または２記載の椅子の座または椅子の背において、インナーシェルは複数の帯部材が横並びに配置されて構成されているようにしている。この場合には、横並びに配置された複数の帯部材が各々独立に撓み変形して着座者の臀部や背部を支持するようになるので、着座者の臀部・背部の形状や動き・姿勢変更に合わせて座面や背面がきめ細かく変形する。
【００１６】
また、請求項６記載の発明は、請求項１または２記載の椅子の座または椅子の背において、撓み空間に撓み調整部材が配置されているようにしている。この場合には、撓み調整部材によってインナーシェルの撓み部の撓み量を調整することにより、例えば体重の軽重といった着座者の特性や、座部・背部は硬めが良いや柔らかめが良いといった着座者の好みや、執務中は硬めが良いが休憩中は柔らかめが良いといった使用場面に応じて座や背の撓み量が調整される。
【００１７】
また、請求項７記載の発明は、請求項６記載の椅子の座または椅子の背において、撓み調整部材が、袋状に形成され、気体若しくは液体を出し入れすることによって体積が変化したり弾性力が変化したりするようにしている。この場合には、撓み調整部材の体積や弾性力が変化することによってインナーシェルの撓み量がきめ細かく調整される。
【００１８】
また、請求項８記載の発明は、請求項１または２記載の椅子の座または椅子の背において、インナーシェルに撓み代が形成されているようにしている。この場合には、インナーシェルの着座面の上下方向の撓み易さが調整されたり、インナーシェル全体としての撓み易さが調整されたりする。
【００１９】
また、請求項９記載の椅子は、請求項１から８のいずれか一つに記載の椅子の座と椅子の背とのうちの少なくとも一方を備えるようにしている。この場合には、上述の請求項１から７に記載の発明の作用のうち対応する作用が奏される。
【発明の効果】
【００２０】
本発明の椅子の座、椅子の背によれば、座部や背部としての剛性を確保しつつ撓み易さを十分に確保することができるので、着座者にとって格別の座り心地・凭れ心地の良さを確保することと座部や背部としての剛性を確保することとを両立させ、快適性，安全性，耐久性，汎用性の向上を図ることが可能になる。
【００２１】
また、本発明の椅子の座、椅子の背によれば、座部や背部の通気性を十分に確保することができるので、着座者にとって格別の座り心地・凭れ心地の良さを確保することに加えて座部や背部の蒸れなどを防いで快適性の向上を図ることが可能になる。
【００２２】
また、本発明の椅子の座、椅子の背によれば、座部や背部を中実構造とした場合と比べて軽量化を図ることができるので、椅子としての取り扱い易さを向上させて汎用性，快適性の向上を図ることが可能になる。
【００２３】
また、本発明の椅子の座、椅子の背によれば、インナーシェルをリサイクルすることができるので、廃棄物の排出の抑制が可能になり、自然環境負荷軽減に貢献することが可能になる。
【００２４】
本発明の椅子の座、椅子の背によれば、さらに、インナーシェル全体としての弾性力（硬さ）を調整して撓み量を調整することができるので、弾性力の微妙な調整をしてより一層良好な座り心地・凭れ心地を実現することが可能になる。また、インナーシェルの場所によって弾性力（硬さ）を変化させることができるので、着座者の通常姿勢や傾斜姿勢を考慮した上での弾性力のきめ細かな調整をしてより一層良好な座り心地・凭れ心地を実現することが可能になる。
【００２５】
本発明の椅子の座、椅子の背によれば、さらに、着座者の臀部・背部の形状や動き・姿勢変更に合わせて座面や背面をきめ細かく変形させることができるので、臀部や背部のフィット感を格段に向上させて今までにない座り心地・凭れ心地で格別の座り心地・凭れ心地を実現することが可能になる。また、インナーシェルを構成する帯部材同士の間隔を空けて配置することによってインナーシェルを一部材で構成する場合と比べて通気性をより一層高めることができるので、座部や背部の蒸れなどをより一層確実に防いで快適性のより一層の向上を図ることが可能になる。
【００２６】
本発明の椅子の座、椅子の背によれば、さらに、着座者の特性及び好みや使用場面に応じて撓み量を変化させて良好な座り心地・凭れ心地を確保することができるので、適応性，汎用性の向上を図ることが可能になる。
【００２７】
本発明の椅子の座、椅子の背によれば、さらに、インナーシェルの着座面の上下方向の撓み易さを調整することができるので、着座面全体としてより一層快適なフィット感を実現したり着座面の部分によって撓み易さを変えてより一層良好な座り心地・凭れ心地を実現することが可能になる。また、インナーシェル全体としての撓み易さを調整することができるので、着座時の緩衝と支持とのバランスを調整することができ、より一層良好な着座時のホールド感を実現することが可能になる。
【００２８】
また、本発明の椅子によれば、上述の椅子の座、椅子の背による作用効果が発揮される。
【図面の簡単な説明】
【００２９】
【図１】実施形態の椅子の斜視図である。
【図２】実施形態の椅子の側面図である。
【図３】実施形態の椅子の平面図である。
【図４】実施形態の椅子の正面図である。
【図５】実施形態の椅子の座の斜視図である。
【図６】実施形態の椅子の座の平面図である。
【図７】実施形態の椅子の座の分解斜視図である。
【図８】椅子の座の実施形態を示す側面図である。（Ａ）は図５及び図６の実施形態の側面図である。（Ｂ）は他の実施形態の側面図である。（Ｃ）は更に他の実施形態の側面図である。
【図９】椅子の座の他の例を示す側面図である。（Ａ）はインナーシェルの後端部分に立体支持部を形成しない場合の例を示す側面図である。（Ｂ）はインナーシェルの後端部分に立体支持部を形成しない場合の更に他の例を示す側面図である。
【図１０】椅子の座の更に他の例を示す図である。（Ａ）は斜視図である。（Ｂ）は底面図である。
【図１１】椅子の座の取り付け構造の他の例を示す図である。（Ａ）は上方斜視図である。（Ｂ）は下方斜視図である。
【図１２】インナーシェルの撓み部の他の例を示す斜視図である。
【図１３】インナーシェルの撓み部の更に他の例を示す斜視図である。
【図１４】インナーシェルの撓み部のまた更に他の例を示す斜視図である。
【図１５】インナーシェルの撓み部のまた更に他の例を示す図である。（Ａ）は斜視図である。（Ｂ）は平面図である。
【図１６】従来の椅子の座の構造を示す分離正面断面図である。
【発明を実施するための形態】
【００３０】
以下、本発明の構成を図面に示す実施の形態の一例に基づいて詳細に説明する。
【００３１】
図１から図６に、本発明の椅子の座の実施形態の一例を示す。なお、本実施形態では、本発明の椅子の座を図１から図４に全体構造を示す椅子２０に適用した場合を例に挙げて説明する。また、本明細書においては、椅子２０の座部１０に座った着座者を基準にして上下、前後、左右を定義する。
【００３２】
本実施形態の椅子２０は、キャスターを有する脚２１と、脚２１の脚支柱２１ａの頂部に取り付けられ支持される支基８と、支基８の後寄り部分に前端部分が揺動可能に取り付けられる背支持部材２２と、背支持部材２２に取り付けられる背のベース部材２３と、支基８に取り付けられ支持される座のベース部材１１と、座のベース部材１１に取り付けられる座のインナーシェル１３とを有する。なお、図５及び図６においては、座のベース部材１１の図示を省略し、インナーシェル１３のみを図示している。
【００３３】
そして、本発明の椅子の座は、前後端部分の両方に立体支持部１３ａ，１３ｂを備える立体構造であって撓みを助長させる形状が施されたインナーシェル１３と、当該インナーシェル１３を覆う表皮材（図示していない）とを有し、立体支持部１３ａ，１３ｂを介してインナーシェル１３が座のベース部材１１に立体的に取り付けられ、インナーシェル１３と座のベース部材１１との間にインナーシェル１３が撓むための撓み空間１５が形成されるものである。なお、本発明が適用され得る椅子の座のベース部材１１やインナーシェル１３の平面視形状は図３に示される本実施形態のものに限られるわけではなく、椅子の使用目的などに応じて円形や矩形などで縦横の寸法比が様々である種々の形状が適宜選択され得る。
【００３４】
本実施形態では、インナーシェル１３が、複数の帯部材１３Ａが横並びに配置されて構成されているようにしている。
【００３５】
本実施形態では、インナーシェル１３を構成する各帯部材１３Ａの前端部及び後端部は、立体支持部として、前端部分及び後端部分が各々下方に折り返されて形成された前側湾曲部１３ａ及び後側湾曲部１３ｂを有し、側面視横Ｕ字形状に形成されている。なお、本発明における立体支持部の形状は、本実施形態における前側湾曲部１３ａや後側湾曲部１３ｂのように半円弧状に限られるものではなく、例えば単なる斜面状や壁状でも良いし、蛇腹状でも良い。さらに言えば、本発明における立体支持部は、本実施形態の帯部材１３Ａの前端部及び後端部のように折り返される態様に限定されるものではない。
【００３６】
インナーシェル１３（帯部材１３Ａ）の材質は、人の着座の荷重によって撓むものであれば特定のものに限定されるものではなく、具体的には例えば合成樹脂が用いられる。本実施形態では、帯部材１３Ａはポリプロピレンを用いた樹脂成型品である。
【００３７】
ここで、帯部材１３Ａの前側湾曲部１３ａと後側湾曲部１３ｂとの間の部分のことを撓み部１３ｅと呼ぶ。なお、帯部材１３Ａの撓み部１３ｅは、もちろん、インナーシェル１３にとっても撓み部である。
【００３８】
本実施形態では８本の帯部材１３Ａを横並びに、具体的には帯部材１３Ａの長手方向と水平直角方向に横に並べて配置してインナーシェル１３を構成するようにしているが、インナーシェル１３を帯部材１３Ａによって構成する場合の帯部材１３Ａの本数は２本以上であれば８本に限定されるものではないし、各帯部材１３Ａの幅も特定の幅に限定されるものではない。なお、本実施形態では各帯部材１３Ａの幅は全て同じであるようにしているが、帯部材１３Ａによって幅を変えるようにしても良い。さらに言えば、本発明におけるインナーシェル１３を構成するための部材は、本実施形態のように帯形状に限られるものではなく、例えば長手方向に幅が変化する形状など、インナーシェル１３の構成部材の平面視形状として様々な形状が採用され得る。また、インナーシェル１３を構成する全ての帯部材１３Ａの平面視形状が揃っている必要はなく、平面視形状が異なる帯部材１３Ａが並べられて、具体的には例えば幅が狭いものと広いものとが交互に並べられたりなどして、インナーシェル１３が構成されるように下良い。
【００３９】
また、本発明におけるインナーシェル１３は、本実施形態のように複数の帯部材から構成される態様に限定されるものではなく、例えば一枚の板状部材から構成されるなど、インナーシェル１３の構成態様として様々な形式が採用され得る。
【００４０】
下方に折り返されることによって撓み部１３ｅの下方に位置することになる前端１３ｃ及び後端１３ｄが例えば接着や溶着やねじ止めなどによって座のベース部材１１に取り付けられる。なお、インナーシェル１３（帯部材１３Ａ）の両端（前端１３ｃ，後端１３ｄ）がともに固定的に取り付けられる必要はなく、一端は固定的に取り付けられると共に他端は単に当接している（言い換えると、単に載置されている）のみであって当接して支持はされているものの摺動可能であっても良い。
【００４１】
そして、上記のように前端部分及び後端部分が折り返されて立体支持部としての前側湾曲部１３ａ及び後側湾曲部１３ｂが形成されることによって帯部材１３Ａの撓み部１３ｅは座のベース部材１１と離れて当該座のベース部材１１の上方に位置する。このように、本発明における立体支持部は、インナーシェル１３の前端１３ｃ，後端１３ｄの位置と撓み部１３ｅの位置とが上下方向において異なるようにしインナーシェル１３が立体的な形状（言い換えると、高さを有する形状）であるようにして撓み部１３ｅを支持するものである。そして、インナーシェル１３の撓み部１３ｅの下方であって前端１３ｃ，後端１３ｄが固定して取り付けられる部材（本実施形態では座のベース部材１１）との間に空間（以下、撓み空間１５と呼ぶ）が形成される。
【００４２】
また、立体支持部(１３ａ，１３ｂ)は、撓み部１３ｅを座のベース部材１１と離して上方に位置させると共に、撓み部１３ｅの前端及び後端即ち前側湾曲部１３ａとの境界及び後側湾曲部１３ｂとの境界を回転可能であるように支持すると共にこれら境界同士の間の距離が変化可能であるように支持する（本実施形態では具体的には、荷重の付与・解除によって湾曲部１３ａ，１３ｂの径が変化することによって境界同士の間の距離が変化する）。言い換えると、本発明における立体支持部(１３ａ，１３ｂ)は、インナーシェル１３の撓みを助長させる形状・仕組みとして、撓み部１３ｅの前端及び後端を、撓み回転（言い換えると、左右方向軸を回転軸とする回転）を許容する回転支点且つ前後方向の移動を許容する可動支点として機能して支持するものである。これにより、着座者が座部１０に着座したときに、撓み部１３ｅを十分に撓ませることができ、着座者の臀部と座部１０とのフィット感が良好になる。
【００４３】
本実施形態では、各帯部材１３Ａに、前側湾曲部１３ａから撓み部１３ｅの中ほどまでに亘るスリット１３ｆが形成されている（図１から図４においてはスリット１３ｆの図示を省略している）。なお、スリット１３ｆについては、インナーシェル１３としての撓み変形を助長するものであればその形状や位置や全ての帯部材１３Ａに設けるか否か（言い換えると、設置の程度）は本実施形態における態様に限定されるものではないし、そもそもスリット１３ｆを設けること自体が本発明の必須の要件ではなくスリット１３ｆを一切設けないようにしても良い。
【００４４】
具体的には、本実施形態ではスリット１３ｆを平面視幅一定の直線状に設けるようにしているが、スリット１３ｆの形状は幅一定の直線状に限定されるものではなく、波線状でも良いし、太さが変わっても良いし、平面視楔形や円形などであっても良い。なお、各帯部材１３Ａの平面視形状についても、本実施形態のように長手方向に幅一定且つ真っ直ぐの帯形状に限られるものではなく、部分によって幅が変化したり全体として左右に蛇行したりするなど種々の平面視形状が採用され得る。そして、帯部材１３Ａの形状に合わせてスリット１３ｆが種々の形状を採用する場合もある。そして、スリット１３ｆの幅や形状を調整することにより、インナーシェル１３としての適切な弾性力を発揮させることができるようになり、且つ、インナーシェル１３の場所によって発揮させる弾性力を変化させることができる。
【００４５】
また、本実施形態ではスリット１３ｆを帯部材１３Ａの前側に設けるようにしているが、スリット１３ｆを設ける位置は前側に限定されるものではなく、後側に設けるようにしても良いし、中間部のみに設けるようにしても良いし、前側と中間部と後側とを組み合わせて設けるようにしても良い。さらに、帯部材１３Ａによってスリット１３ｆを設ける位置を変えるようにしても良い。そして、スリット１３ｆを設ける位置を調整することにより、インナーシェル１３としての適切な弾性力を発揮させることができるようになり、且つ、インナーシェル１３の場所によって発揮させる弾性力を変化させることができる。
【００４６】
また、本実施形態ではスリット１３ｆを全ての帯部材１３Ａに設けるようにしているが、複数の帯部材１３Ａのうちの一部のみにスリット１３ｆを設けるようにしても良い。さらに、スリット１３ｆをいずれの帯部材１３Ａにも設けない、即ち一切設けないようにしても良い。そして、スリット１３ｆの設置数（設置の程度）を調整することにより、インナーシェル１３としての適切な弾性力を発揮させることができるようになり、且つ、インナーシェル１３の場所によって発揮させる弾性力を変化させることができる。
【００４７】
また、本実施形態のようにインナーシェル１３を複数の帯部材１３Ａで構成する場合に、帯部材１３Ａによって材質を変えて弾性力（硬さ）を変えたりスリット１３ｆの設け方を変えたりすることにより、インナーシェル１３の場所によって撓み方を変えるようにしても良い。具体的には例えば、インナーシェル１３の中央部では柔らかめにする一方で、左右側部では硬めにするようにしても良い。このようにすることにより、通常姿勢で着座しているときは十分に撓んで良好な座り心地を確保すると共に、姿勢を左右に傾けたときは着座者の臀部をしっかり支持して姿勢が崩れてしまうことを防ぐことができる。
【００４８】
本実施形態では、各帯部材１３Ａは、隣り合う帯部材１３Ａ同士の間に間隙１４が設けられて横並びに配置される。なお、帯部材１３Ａ同士の間の間隙１４の幅は特定の幅に限定されるものではないし、間隙１４をゼロにして隣り合う帯部材１３Ａ同士を接触させるようにしても良い。
【００４９】
本実施形態のようにインナーシェル１３を複数の帯部材１３Ａによって構成するようにすることにより、着座者が座部１０に着座したときに、複数の帯部材１３Ａの各々が相互に独立して撓み変形するので多様で制約が少なく自由度が高い変形を実現することができ、着座者の臀部と座部１０とのフィット感がより一層良好になる。本実施形態の場合には具体的には、複数の帯部材１３Ａが長手方向を前後方向にして左右に横並びに配置されてこれら帯部材１３Ａが各個に着座者を支持し、これら帯部材１３Ａは一つ一つが個別に長手方向を軸として左右に軸揺動するので、着座者が着座した状態で左右に動く(傾く)と各帯部材１３Ａが左右に軸揺動することで着座者の動き・姿勢変更に追随することができ、着座者が自然な動きをとり易くし且つ姿勢変更に対する適確な追従性を発揮して非常に良好なフィット感が実現される。
【００５０】
本実施形態では、撓み空間１５に撓み調整部材１６としての空気袋が配置されている。すなわち、立体支持部である前側湾曲部１３ａ及び後側湾曲部１３ｂを備えることによって立体構造になっているインナーシェル１３の撓み部１３ｅが撓んで進入する空間である撓み空間１５に撓み調整部材１６が配置されている。撓み調整部材１６は、インナーシェル１３（帯部材１３Ａ）の撓み部１３ｅの下方において座のベース部材１１に取り付けられ、撓み部１３ｅの撓み量を調整するためのものである。
【００５１】
撓み調整部材１６は、弾力性を有してインナーシェル１３の撓み部１３ｅの下方であって座のベース部材１１との間に介在してインナーシェル１３の撓み部１３ｅの撓み量を調整できるものであれば本実施形態のように空気袋に限定されるものではなく、他の気体や液体が注入された袋でも良いし、ばねでも良いし、クッションでも良い。
【００５２】
また、撓み調整部材１６については、袋状に形成されて着座者の意図的な操作によって内部の気体や液体を出し入れすることによって体積や弾性力（硬さ）を調整可能にして撓み部１３ｅの撓み量を調整できるようにしても良い。また、撓み調整部材１６の下に上下移動機構を介在させて撓み調整部材１６を上下方向に移動させることによってインナーシェル１３との上下位置関係（上下方向距離）を変化可能にして撓み部１３ｅの撓み量を調整できるようにしても良い。もちろん、撓み調整部材１６の体積や弾性力（硬さ）を調整可能にすると共に上下位置を変化可能にするようにしても良い。
【００５３】
なお、図１から図４では図示していないが、インナーシェル１３の表面を表皮材(張地)で覆うと共に、インナーシェル１３と表皮材との間にクッション材を備えるようにしても良い。表皮材としては、具体的には例えば、張地，メッシュシート，フィルム，ゴムなどからなるシート部材が用いられる。ここで、表皮材は、撓み変形したインナーシェル１３を構成する帯部材１３Ａ同士の隙間に着座者の衣類の一部や指などの体の一部が挟まれないようにすることを目的として設けられている。
【００５４】
また、本実施形態のように間隙１４を有して横並びに配置した複数の帯部材１３Ａによってインナーシェル１３を構成する場合には間隙１４部分を膜状部材で塞ぐようにしても良い。
【００５５】
以上のように構成された本発明の椅子の座によれば、立体支持部を備えることによってインナーシェルが立体構造であって撓みを助長させる形状が施されたものであるようにしているので、座部としての剛性を確保しつつ撓み易さを十分に確保することができ、さらに、座部の通気性を十分に確保することができるので、快適性，安全性，耐久性，汎用性の向上を図ることが可能になる。
【００５６】
さらに、上述の実施形態のように複数の帯部材１３Ａを横並びに配置してインナーシェル１３を構成するようにすれば、横並びに配置された複数の帯部材１３Ａが各々独立に撓み変形して着座者の臀部を支持するようになるので、着座者の臀部の形状や動き・姿勢変更に合わせて座面をきめ細かく変形させることができ、臀部のフィット感を格別に向上させて今までにない座り心地で格別の座り心地を実現することが可能になる。
【００５７】
さらに、上述の実施形態のようにインナーシェル１３の撓み部１３ｅの下方（撓み空間１５）に撓み調整部材１６を配置するようにすれば、着座者の特性及び好みや使用場面に応じて撓み量を変化させて良好な座り心地を確保することができるので、適応性，汎用性の向上を図ることが可能になる。
【００５８】
なお、上述の形態は本発明の好適な形態の一例ではあるがこれに限定されるものではなく、本発明の要旨を逸脱しない範囲において種々変形実施可能である。例えば、上述の実施形態では、本発明の座の構造を図１から図４に全体構造を示す椅子２０に適用した場合を例に挙げて説明したが、本発明の座の構造が適用され得る椅子は椅子２０に限定されるものではなく、上述の実施形態の座のベース部材１１及びインナーシェル１３に対応する構成を採用し得る椅子であればどのような椅子であっても良い。具体的には例えば、背凭れを有しない椅子でも良いし、所謂パイプ椅子でも良いし、所謂丸椅子でも良いし、ベンチでも良い。
【００５９】
また、上述の実施形態では複数の帯部材１３Ａを横並びに配置してインナーシェル１３を構成するようにしているが、本発明におけるインナーシェル１３はこの態様に限定されるものではなく、一部材でインナーシェル１３を構成するようにしても良い。なお、インナーシェル１３を一部材で構成する場合には、スリット１３ｆの設け方を変えることにより、インナーシェル１３の場所によって撓み方を変えるようにしても良い。具体的には例えば図１０に示すように、前端１３ｃ部分及び後端１３ｄ部分を切断・分断しないようにスリット１３ｆ'を形成し、インナーシェル１３を一部材で構成するようにしても良い。
【００６０】
また、上述の実施形態では帯部材１３Ａの前端部分及び後端部分が各々下方に折り返されて前側湾曲部１３ａ及び後側湾曲部１３ｂとして立体支持部が側面視横Ｕ字形状に形成されているが（図８(Ａ)参照）、本発明における立体支持部はインナーシェル１３の撓みを助長させるように撓み回転（言い換えると、左右方向軸を回転軸とする回転）を許容する回転支点且つ前後方向の移動を許容する可動支点として機能してインナーシェル１３の撓み部１３ｅの前端・後端を支持するものであればこの態様に限定されるものではなく、下方への傾斜部１３ｇとするようにしても良いし（同図(Ｂ)参照）、下方への屈曲部１３ｈとするようにしても良い（同図(Ｃ)参照；図８においては撓み調整部材１６を図示していない）。これらの態様でも、撓み部１３ｅの前端・後端を撓み回転可能且つ前後移動可能な支点によって支持することができる。なお、図８(Ｂ)及び(Ｃ)では帯部材１３Ａの前端部分を湾曲部１３ａにすると共に後端部分を傾斜部１３ｇや屈曲部１３ｈとするようにしているが、前端部分を傾斜部や屈曲部とすると共に後端部分を湾曲部１３ｂとするようにしても良いし、前端部分と後端部分との両方を傾斜部や屈曲部とするようにしても良い。
【００６１】
さらに言えば、上述の実施形態では帯部材１３Ａの前端部分と後端部分との両方に立体支持部としての湾曲部１３ａ，１３ｂが形成されるようにしているが、立体支持部が形成されるのは帯部材１３Ａの前端部分と後端部分とのうちのどちらか一方のみでも良い。すなわち、図９に示すように、帯部材１３Ａの前端部分には湾曲部１３ａを形成する一方で、後端部分には湾曲部（或いは、傾斜部や屈曲部）を形成しないようにしても良い。なお、この場合には、同図(Ａ)に示すように座のベース部材１１の後端縁部に支持凸部１１ａを設けるようにして当該支持凸部１１ａに帯部材１３Ａの後端１３ｄを取り付けて支持するようにしても良いし、同図(Ｂ)に示すように支持凸部を設けることなく帯部材１３Ａの後端１３ｄを座のベース部材１１に取り付けるようにしても良い。なお、図９(Ｂ)に示す構造の場合には、脚支柱２１ａに取り付けた状態で座のベース部材１１を前傾させるようにして帯部材１３Ａの撓み部１３ｅを水平にするようにしても良い。これらの場合には、帯部材１３Ａの撓み部１３ｅの後端は撓み回転は許容される一方で前後方向の移動は制限されるものの、帯部材１３Ａの撓み部１３ｅの前端が撓み回転が許容される回転支点且つ前後方向の移動が許容される可動支点であるので、上述の実施形態と同様の作用効果を実現することができる。
【００６２】
なお、上記の説明では上述の実施形態のようにインナーシェル１３を複数の帯部材１３Ａで構成することを前提にしているが、一部材でインナーシェル１３を構成する場合には、当該一部材の前端部分と後端部分との両方に立体支持部を形成するようにしても良いし、前端部分のみに立体支持部を形成するようにしても良いし、後端部分のみに立体支持部を形成するようにしても良い。
【００６３】
また、一部材でインナーシェル１３を構成する場合には、前端部分や後端部分の全体に亘って連続的に立体支持部を形成するようにしても良いし、前端部分や後端部分の一部に一つ若しくは複数の立体支持部を形成するようにしても良い。
【００６４】
また、上述の実施形態ではインナーシェル１３（帯部材１３Ａ）の両端即ち前端１３ｃ及び後端１３ｄがともに座のベース部材１１に取り付けられるようにしているが、インナーシェル１３（帯部材１３Ａ）の両端が取り付けられたり支持されたりするのは座のベース部材１１に限られるものではない。具体的には例えば、図１１に示すように背支持部材２２の支基８寄りの位置に取り付けられたシェル支持部材１７にインナーシェル１３（帯部材１３Ａ）の後端１３ｄが取り付け・支持されるようにしても良い。
【００６５】
あるいは、インナーシェル１３（帯部材１３Ａ）の後端１３ｄが、背支持部材２２に直接取り付け・支持されるようにしても良いし、背のベース部材２３に取り付け・支持されるようにしても良いし、支基８から延びるレール等に取り付け・支持されるようにしても良い。また、インナーシェル１３（帯部材１３Ａ）の後端１３ｄに限らず、前端１３ｃが、例えば、支基８や支基８に取り付けられたシェル支持部材や支基８から延びるレール等に取り付け・支持されるようにしても良い。
【００６６】
さらに、前端１３ｃや後端１３ｄのうちの一部が座のベース部材１１に取り付け・支持されると共に残りの部分が支基８や支基８に取り付けられたシェル支持部材や支基８から延びるレール等或いは背支持部材２２に取り付けられたシェル支持部材１７や背支持部材２２や背のベース部材２３や支基８から延びるレール等に取り付け・支持されるようにしても良い。
【００６７】
すなわち、本発明において、座に適用されたインナーシェル１３（帯部材１３Ａ）が取り付けられたり支持されたりするものとしてのベース部材は、座のベース部材１１に限られるものではなく、椅子の座を構成し得る範囲で椅子の構成部材のいずれでも良い。具体的には例えば、支基や、支基に取り付けられたシェル支持部材や、支基から延びるレール等や、背支持部材や、背支持部材に取り付けられたシェル支持部材や、背のベース部材など種々のものが考えられる。
【００６８】
また、上述の実施形態では各帯部材１３Ａの長手方向を前後方向に合わせると共に複数の帯部材１３Ａを左右方向に横並びで配置するようにしているが、インナーシェル１３を複数の帯部材１３Ａで構成する場合の当該帯部材１３Ａの配置の態様はこの態様に限定されるものではなく、各帯部材１３Ａの長手方向を左右方向に合わせると共に複数の帯部材１３Ａを前後方向に横並びで配置するようにしても良い。なおこの場合には、インナーシェル１３の左端部分と右端部分との両方に立体支持部を形成するようにする。このように、立体支持部を前後ではなくて左右に配置する場合には左端部分と右端部分との両方に形成するようにすることは、インナーシェル１３を一部材で構成するようにした場合も同様である。そしてこの場合には、複数の帯部材１３Ａが各個に着座者を支持し、これら帯部材１３Ａは一つ一つが個別に長手方向を軸として前後に軸揺動するので、着座者が着座した状態で前後に動く(傾く)と各帯部材１３Ａが前後に軸揺動することで着座者の動き・姿勢変更に追随することができ、着座者が自然な動きをとり易くし且つ姿勢変更に対する適確な追従性を発揮して非常に良好なフィット感が実現される。
【００６９】
また、上述の実施形態ではインナーシェル１３（これを構成する帯部材１３Ａ）と座のベース部材１１とを別体のものとして成形するようにしているが、インナーシェル１３と座のベース部材１１とを一体のものとして成形するようにしても良い。
【００７０】
また、上述の実施形態ではインナーシェル１３の撓み部１３ｅを凹凸のない平板状に形成するようにしているが、撓み部１３ｅの形状は凹凸のない平板状に限られるものではなく、インナーシェル１３の上下方向の撓み易さを調整してより一層快適なフィット感を実現するために撓み部１３ｅに撓み代を形成するようにしても良い。具体的には例えば、図１２に示すように撓み代として撓み部１３ｅの長手方向（前後方向）と直角方向（即ち左右方向）の切削溝１３ｉを単数若しくは複数形成するようにしても良いし、図１３に示すように撓み代として撓み部１３ｅの長手方向に平ら山部１３ｊと谷部１３ｋとが交互に連続する波形に撓み部１３ｅを形成するようにしても良いし、図１４に示すように撓み代として撓み部１３ｅの長手方向に山部１３ｍと谷部１３ｎとが交互に連続する波形に撓み部１３ｅを形成するようにしても良い。また、図１５に示すように、撓み代として撓み部１３ｅを左右に蛇行するように形成するようにしても良い。この図１５に示す場合には、撓み部１３ｅを真っ直ぐに形成する場合と比べて撓み部１３ｅ部分の延長を長くすることができ、その分撓み易くすることができる。
【００７１】
なお、図１２から図１５に示す例では撓み部１３ｅの全体に亘って撓み代（即ち、切削溝１３ｉ，平ら山部１３ｊと谷部１３ｋ，山部１３ｍと谷部１３ｎ，左右蛇行形状）を形成するようにしているが、撓み部１３ｅに対して部分的に撓み代を形成するようにしても良い。これにより、インナーシェル１３（言い換えると、着座面）の部分によって撓み易さを変えてより一層きめの細かいフィット感を実現することができる。
【００７２】
また、図１２から図１５に示す例においても、例えば図５に示す例のように、帯部材１３Ａの全部若しくは一部にスリット１３ｆを形成するようにしても良い。
【００７３】
また、図１２から図１５に示す例ではインナーシェル１３の撓み部１３ｅに対して撓み代を形成するようにしているが、撓み代を形成する部分はインナーシェル１３のうち撓み部１３ｅに限られるものではなく、立体支持部１３ａ，１３ｂに形成するようにしても良い。立体支持部１３ａ，１３ｂに撓み代を形成するようにした場合には、インナーシェル１３全体としての上下方向の撓み易さを調整し着座する際の緩衝と支持とのバランスを調整してより一層良好な着座時のホールド感を実現することができる。
【００７４】
また、上述の実施形態ではインナーシェル１３の撓み部１３ｅと座のベース部材１１との間に撓み調整部材１６を配置するようにしているが、本発明において撓み調整部材１６を配置することは必須の構成ではなく、当該撓み調整部材１６を配置しないようにしても良い。なお、上述の実施形態では座のベース部材１１は板状であるが、撓み調整部材１６を配置しない場合には座のベース部材１１は例えば枠状や前後一対若しくは左右一対のレール状などインナーシェル１３を取り付ける部分が少なくともあれば良い。
【００７５】
また、上述の実施形態では本発明による自由度の高いシェル撓み変形構造を椅子の座に適用する場合を前提とした例について主に説明したが、本発明による自由度の高いシェル撓み変形構造の適用対象は椅子の座に限定されるものではなく、椅子の背に適用することも可能である。椅子の背に適用する場合には、例えば、上述の実施形態における座のベース部材１１が背のベース部材２３に代わると考え、当該背のベース部材２３にインナーシェル１３を取り付けて背のインナーシェルとして本発明の構造を用いる。この場合には、背部に組み込まれるインナーシェルの上端部分と下端部分との両方に立体支持部を設けるようにしたり、上端部分と下端部分とのうちのどちらか一方に立体支持部を設けるようにしたり、左端部分と右端部分との両方に立体支持部を設けるようにしたりする。さらに、背のインナーシェルと背のベース部材２３との間（即ち、背のインナーシェルの後方）に撓み調整部材１６を配置する（背のベース部材２３に取り付けられる）ようにしても良い。なお、上述の実施形態では背のベース部材２３は板状であるが、撓み調整部材１６を配置しない場合には背のベース部材２３は例えば枠状や前後一対若しくは左右一対のレール状などインナーシェルを取り付ける部分が少なくともあれば良い。
【００７６】
また、本発明のシェル撓み変形構造を椅子の背に適用する場合には、背に適用されたインナーシェルが取り付けられたり単に当接して支持されたりするものとしてのベース部材は、背のベース部材２３に限られるものではなく、椅子の背を構成し得る範囲で椅子の構成部材のいずれでも良い。具体的には例えば、背に適用されたインナーシェルの上端は背のベース部材２３に取り付けられ、下端は例えば背支持部材２２や背支持部材２２に取り付けられたシェル支持部材や座のベース部材１１や支基８に取り付けられたシェル支持部材や支基８から延びるレール等などに取り付けられたり単に当接して支持されたりすることが考えられる。
【００７７】
そして、本発明の椅子としては、上述の椅子の座と椅子の背とのうちのどちらか一方若しくは両方を備えるようにする。そして、上述のように、立体支持部(１３ａ，１３ｂ)を備えることによってインナーシェル(１３)が立体構造であって撓みを助長させる形状が施されたものであるようにしているので、座部や背部としての剛性を確保しつつ撓み易さを十分に確保することができ、さらに、座部や背部の通気性を十分に確保することができるなどするので、快適性，安全性，耐久性，汎用性の向上を図ることなどが可能になる。
【符号の説明】
【００７８】
１０  座部
１１  座のベース部材
１３  インナーシェル
１３Ａ  帯部材
１３ａ  前側湾曲部（立体支持部）
１３ｂ  後側湾曲部（立体支持部）
１５  撓み空間
【図１】
2013099504.tif 000003
【図２】
2013099504.tif 000004
【図３】
2013099504.tif 000005
【図４】
2013099504.tif 000006
【図５】
2013099504.tif 000007
【図６】
2013099504.tif 000008
【図７】
2013099504.tif 000009
【図８】
2013099504.tif 000010
【図９】
2013099504.tif 000011
【図１０】
2013099504.tif 000012
【図１１】
2013099504.tif 000013
【図１２】
2013099504.tif 000014
【図１３】
2013099504.tif 000015
【図１４】
2013099504.tif 000016
【図１５】
2013099504.tif 000017
【図１６】
2013099504.tif 000018